(57)【特許請求の範囲】
【請求項１】
スプリンクラヘッドを覆うカバーを設け、該カバーを前記スプリンクラヘッドの動作温度よりも低い温度で溶融する物質によって、前記スプリンクラヘッドに取り付けて、該スプリンクラヘッドを出荷するスプリンクラヘッドの出荷方法において、
該スプリンクラヘッドが収容される箱に、スプリンクラヘッドの動作温度より低い温度で変色する感温示温体を設けて、
前記感温示温体が変色する温度を、前記溶融する物質の融点付近にして、前記スプリンクラヘッドを出荷することを特徴とするスプリンクラヘッドの出荷方法。
【請求項２】
スプリンクラヘッド本体を覆うカバーが、前記スプリンクラヘッドの動作温度よりも低い温度で溶融する物質によって取り付けられたカバー付きスプリンクラヘッドと、該カバー付きスプリンクラヘッドが収容される収容箱とからなるスプリンクラヘッドの収容箱において、
前記収容箱に、スプリンクラヘッドの動作温度より低い温度で変色する感温示温体を設け、
該感温示温体が変色する温度は、前記溶融する物質の融点付近であることを特徴とするスプリンクラヘッドの収容箱。
【請求項３】
前記感温示温体が変色する温度は、４０℃から６０℃に設定されることを特徴とする請求項１記載のスプリンクラヘッドの出荷方法。
【発明の詳細な説明】
【０００１】
【発明の属する技術分野】
本発明はスプリンクラヘッドの出荷方法に関するものである。
【０００２】
【従来の技術】
従来、外力等に備えてスプリンクラヘッド本体にカバーをつける場合があった。このスプリンクラヘッドのカバーに関する発明は、既に多数開示されている（例えば特開２０００−１４８２４号公報）。カバーを設けることで、スプリンクラヘッド本体に外力がかかるのを防止でき、またヘッド本体を隠すことで、美観を高めることができる。スプリンクラヘッド本体へのカバーの取付けには、通常、可溶合金としての半田が使用されている。
【０００３】
カバーを取り付けたスプリンクラヘッドにおいては、スプリンクラヘッドが動作する前に、カバーを落下させる必要がある。このため、スプリンクラヘッドの一般的な動作温度である６８℃から７２℃よりも低い温度で、カバーが落下するように設計されている。この際、カバーをスプリンクラヘッドへ取り付けるのに使用される半田としては、５０℃から６０℃程度の範囲で溶融する半田が使用される。
【０００４】
【発明が解決しようとする課題】
カバーを取り付けるのに使用される半田は、融点が比較的低いので、環境温度の影響を受けやすい。つまり、真夏の時期に、スプリンクラヘッドをトラックなどで出荷搬送する場合、エアコンのきいていない荷台では、温度が非常に高くなる。このため、このような状況下に長時間、スプリンクラヘッドが置かれていると、半田に高温クリープ等の異常が生じる恐れがある。また、日差しが入る閉めきった倉庫内に、長い期間、スプリンクラヘッドが保管されるような場合においても同様なことがいえる。
【０００５】
環境温度が半田の溶融温度まで上昇していれば、カバーとスプリンクラヘッドが分離するはずなので、その異常に、事前に気付くことができ、そのスプリンクラヘッドが現場に設置されることはない。
【０００６】
しかし、カバーとスプリンクラヘッドが分離されていない場合は、見た目では、正常であるので、高温になったことにより、内部で半田のクリープが促進されていたとしても、その事に気付くことができない。このようなカバー付きのスプリンクラヘッドがそのまま現場に設置されると、設置後に誤作動を起こす恐れがある。
【０００７】
【課題を解決するための手段】
本発明は以上の課題を解決するためになされたもので、スプリンクラヘッドを覆うカバーを設け、該カバーをスプリンクラヘッドの動作温度よりも低い温度で溶融する物質によって、スプリンクラヘッドに取り付けて、該スプリンクラヘッドを出荷するスプリンクラヘッドの出荷方法において、該スプリンクラヘッドが収容される箱に、スプリンクラヘッドの動作温度より低い温度で変色する感温示温体を設けて、感温示温体が変色する温度を、溶融する物質の融点付近にして、スプリンクラヘッドを出荷することを特徴とするものである。
また、スプリンクラヘッド本体を覆うカバーが、スプリンクラヘッドの動作温度よりも低い温度で溶融する物質によって取り付けられたカバー付きスプリンクラヘッドと、該カバー付きスプリンクラヘッドが収容される収容箱とからなるスプリンクラヘッドの収容箱において、収容箱に、スプリンクラヘッドの動作温度より低い温度で変色する感温示温体を設け、該感温示温体が変色する温度は、溶融する物質の融点付近であることを特徴とするものである。
【０００８】
【発明の実施の形態】
図１は本発明のカバー付きスプリンクラヘッドを示す一部断面図で、その構造は従来技術で示した公報と同様なものである。図１において、１はスプリンクラヘッド（本体）である。２はスプリンクラヘッド１の半田である。半田２の融点は、例えば７２℃であり、この温度がスプリンクラヘッド１の動作温度である。
【０００９】
５は例えば樹脂等から形成された取付部材で、内径がスプリンクラヘッド１のフランジ部３とほぼ同径の筒部６と、筒部６の下端外周に形成された環状の円板部７とからなる。筒部６の内面には、例えば雌ねじが形成されており、またスプリンクラヘッド本体１のフランジ部３には、外周に雄ねじが設けられており、この雌ねじと雄ねじにより取付部材５はスプリンクラヘッド本体１の外周に取り付けられる。
【００１０】
１０はスプリンクラヘッド本体１を覆う金属製のカバーで、下方にほぼ碗状に膨らむように形成されている。１１は半田で、カバー１０を取付部材５を介してスプリンクラヘッド本体１に取り付けるためのものである。この半田１１は、スプリンクラヘッド１の動作温度よりも低い温度で溶融する物質であって、その融点は、例えば５８℃である。
【００１１】
このカバー１０付きのスプリンクラヘッド１は、出荷する際、収容箱２０の中に収容してから、出荷される。収容箱２０（梱包箱とも言う）の中には、発泡スチロールでできた土台３０があり、土台３０には、スプリンクラヘッド１のねじ部側が入る空間部３１が形成されている。
【００１２】
また収容箱２０の内面には、感温示温体４０が設けられる。感温示温体４０は、サーモラベル（登録商標）とも呼ばれ、所定の温度になると、表面の色が変色するものである。また変色した温度が戻らないように不可逆性の感温示温体４０が使用される。感温示温体４０は、箱２０内に入れておけばよいが、箱２０の内面に貼付させるようにしてもよい。
【００１３】
本実施形態においては、感温示温体４０は、スプリンクラヘッド１の動作温度、つまり７２℃より低い温度で変色するものを使用する。変色する温度としては、半田１１の融点である５８℃付近であることが好ましく、例えば５０℃で変色するものが使用される。なおカバー１０取付用の半田１１の融点によって、感温示温体４０の変色する温度は、適宜、変更可能であり、およそ４０℃から６０℃の温度範囲に設定される。
【００１４】
次に本発明の作用について説明する。まずスプリンクラヘッド１を出荷する際には、予め収容箱２０に土台３０を入れ、収容箱２０の内面には、感温示温体４０を貼付しておく。そして工場においてカバー１０が取付済であるスプリンクラヘッド１を土台３０の空間部３１に入れて、スプリンクラヘッド１を収容箱２０内に保持させ、箱２０の蓋をしめて出荷する。
【００１５】
スプリンクラヘッド１の出荷時に、特に環境温度が高まることがなければ、感温示温体４０の色は何も変色しないので、そのカバー付きスプリンクラヘッド１は、そのまま現場に設置される。
【００１６】
もし収容箱２０の蓋をあけて、感温示温体４０の色が変色、例えば無色から赤色に変色していれば、スプリンクラヘッド１の運送中に環境温度が５０℃まで上昇したことがわかる。この場合には、外見上、スプリンクラヘッド１が正常に見えたとしても、内部の半田１１が高温クリープ等の異常をきたしているものとして、工場に返品又はその場で破棄するようにする。箱２０内には、このように感温示温体４０が変色している時の取扱い要領を一緒に入れておくことが望ましい。
【００１７】
なお本実施形態では、収容箱２０のスプリンクラヘッド１が一つある場合で説明したが、多数のスプリンクラヘッド１を収容できる梱包箱を用いてもよく、この場合でも感温示温体は箱内に一つだけあればよい。また収容箱を例えば１０個単位で大型の梱包箱内に入れ、この梱包箱に感温示温体を１つだけ設けるようにしてもよい。スプリンクラヘッドは建屋に多数設置されるので、このように大型の梱包箱に１つだけ感温示温体を設ければ、大型の梱包箱を開けた段階で、ヘッドが正常であるか否かがわかるので、作業の手間がかからずコストもかからないので、便利である。
【００１８】
また収容箱内に感温示温体を貼付した場合で説明したが、収容箱の外面に感温示温体を取り付けてもよく、このようにすれば、工場から出荷する時に、ヘッドが正常であることを確認してから出荷でき、搬送の途中にヘッドの異常に気付くことができる。また感温示温体はペイントで構成してもよく、例えば、スプリンクラヘッドのカバー部材に直接、塗ったり、貼ったりしてもよい。
【００１９】
【発明の効果】
本発明は、スプリンクラヘッドが収容される箱に、スプリンクラヘッドの動作温度より低い温度で変色する感温示温体を設けて、スプリンクラヘッドを出荷するように構成した。このため、スプリンクラヘッドの搬送時に、環境温度がスプリンクラヘッドの機能に支障をきたす温度まで上昇したかどうかを知ることができる。よって、高温によって半田のクリープが促進されたスプリンクラヘッドが現場に設置されることを防ぐことができ、ヘッド設置後の誤作動を未然に防止できる。
【図面の簡単な説明】
【図１】カバー付きスプリンクラヘッドを収容箱に入れた状態を示す一部断面図である。
【符号の説明】
１  スプリンクラヘッド本体、  ２  半田、  ３  フランジ部、
５  取付部材、  ６  筒部、  ７  円板部、  １０  カバー、  １１  半田、
２０  収容箱、  ３０  土台、  ３１  空間部、  ４０  感温示温体、
【図１】
0004212781.tif 000002